(57)【要約】      （修正有）【課題】パチンコ景品（スロットマシン景品などの類似景品を含む）のうち、金製プレートなどを封入してなるプラスチックケースを計数したり、あるいはそれを保管したりするのに利用されるカセットに収納したパチンコ景品の計数兼保管器具を提供する。【解決手段】カセットに収納したパチンコ景品を保管する計数兼保管器具３で、該計数兼保管器具３は上面を開放した矩形状の枠体４と、枠体４の底部を覆う底板５とで構成され、枠体４の内部を縦横仕切り板６，７で複数の区画室Ｓが形成されるように仕切り、ひとつの区画室Ｓの一辺の長さ寸法Ｌ１は、パチンコ景品の一辺の長さ寸法Ｌ１０とほぼ同一寸法に形成し、ひとつの区画室Ｓの他の一辺の長さ寸法Ｌ２は、パチンコ景品の他の一辺の長さの複数倍の長さ寸法Ｌ２０とほぼ同一寸法に形成したことを特徴とする。【選択図】図３
0003115392.tif 000002
【実用新案登録請求の範囲】
【請求項１】
カセット１に収納したパチンコ景品２を保管するための計数兼保管器具３であって、該計数兼保管器具３は上面を開放した矩形状の枠体４と、該枠体４の底部を覆う底板５とで構成され、該枠体４の内部を縦横仕切り板６，７で複数の区画室Ｓが形成されるように仕切り、ひとつの区画室Ｓの一辺の長さ寸法Ｌ１は、パチンコ景品２の一辺の長さ寸法Ｌ１０とほぼ同一寸法に形成され、ひとつの区画室Ｓの他の一辺の長さ寸法Ｌ２は、パチンコ景品２の他の一辺の長さの複数倍の長さ寸法Ｌ２０とほぼ同一寸法に形成され、前記枠体４の高さ寸法Ｌ３は、パチンコ景品２の高さ寸法Ｌ３０よりも短寸に形成され、前記枠体４の上面の一部に積み重ね用の突起８を形成するとともに、枠体４の下面には該突起８が嵌入可能となる凹部９を形成し、枠体４の一対の側壁位置に指掛け部１０を形成したことを特徴とするカセットに収納したパチンコ景品の計数兼保管器具。
【請求項２】
枠体４の一対の側壁位置に補強金具１１を取り付けたことを特徴とする請求項１記載のカセットに収納したパチンコ景品の計数兼保管器具。
【請求項３】
底板５に指掛け孔１２を形成したことを特徴とする請求項１又は２記載のカセットに収納したパチンコ景品の計数兼保管器具。
【考案の詳細な説明】
【技術分野】
【０００１】
本考案は、パチンコ景品（スロットマシン景品などの類似景品を含む）のうち、金製プレートなどを封入してなるプラスチックケース（以下、単に「カセット」という）を計数したり、あるいはそれを保管したりするのに利用されるカセットに収納したパチンコ景品の計数兼保管器具に関するものである。
ここでカセットに収納したパチンコ景品の例としては、東京ユニオンサーキュレーション株式会社製の金のプレート（１ｇ用、０．３ｇ用）などを収納してなる薄型四角板形状の製品が好例である。
【背景技術】
【０００２】
従来カセットに収納したパチンコ景品の計数兼保管器具は世の中に存在せず、特に薄型四角形状のカセットに収納したパチンコ景品を計数したり、保管したりするための器具の出現が望まれていた。
【０００３】
【特許文献１】実開平６−４８０６９号公報
【考案の開示】
【考案が解決しようとする課題】
【０００４】
上記特許文献１に記載された硬貨収納容器は、区画された収納部に硬貨を収めて、硬貨の合計金額をたやすく計算可能としたものである。
しかしながら、この硬貨収納容器はカセットに収納したパチンコ景品を計数したり、保管できるものではないため、パチンコ業者、景品回収業者などにとって、カセットに収納したパチンコ景品に対応できるものではない点において根本的な問題点があった。
【０００５】
本考案は、上記の全ての問題点を解消して、薄型四角形状のカセットに収納したパチンコ景品を計数したり、保管したりするための、カセットに収納したパチンコ景品の計数兼保管器具を提供せんとするものである。
【課題を解決するための手段】
【０００６】
上記目的を達成するために、請求項１記載の考案は、カセット１に収納したパチンコ景品２を保管するための計数兼保管器具３であって、該計数兼保管器具３は上面を開放した矩形状の枠体４と、該枠体４の底部を覆う底板５とで構成され、該枠体４の内部を縦横仕切り板６，７で複数の区画室Ｓが形成されるように仕切り、ひとつの区画室Ｓの一辺の長さ寸法Ｌ１は、パチンコ景品２の一辺の長さ寸法Ｌ１０とほぼ同一寸法に形成され、ひとつの区画室Ｓの他の一辺の長さ寸法Ｌ２は、パチンコ景品２の他の一辺の長さの複数倍の長さ寸法Ｌ２０とほぼ同一寸法に形成され、前記枠体４の高さ寸法Ｌ３は、パチンコ景品２の高さ寸法Ｌ３０よりも短寸に形成され、前記枠体４の上面の一部に積み重ね用の突起８を形成するとともに、枠体４の下面には該突起８が嵌入可能となる凹部９を形成し、枠体４の一対の側壁位置に指掛け部１０を形成したことを特徴とするカセットに収納したパチンコ景品の計数兼保管器具である。
【０００７】
請求項２記載の考案は、枠体４の一対の側壁位置に補強金具１１を取り付けたことを特徴とする請求項１記載のカセットに収納したパチンコ景品の計数兼保管器具である。
【０００８】
請求項３記載の考案は、底板５に指掛け孔１２を形成したことを特徴とする請求項１又は２記載のカセットに収納したパチンコ景品の計数兼保管器具である。
【考案の効果】
【０００９】
以上述べたように、請求項１のカセットに収納したパチンコ景品の計数兼保管器具によれば、薄型四角形状のカセットに収納したパチンコ景品２を区画室Ｓに順次収納していくだけで、パチンコ景品２の個数を正確に計数することができ、かつ安全に保管することができ、計数兼保管器具３は必要に応じて何段にも積み重ねることができ、各計数兼保管器具３は指掛け部１０や指掛け孔１２を利用して簡単に持ち上げることができ、利用時の勝手に優れたカセットに収納したパチンコ景品の計数兼保管器具となる効果がある。
【００１０】
また請求項２のカセットに収納したパチンコ景品の計数兼保管器具によれば、枠体４の一対の側壁位置に補強金具１１を取り付けたので、計数兼保管器具３の強度が向上し、複数段積み重ねた場合であっても、下段に位置する計数兼保管器具３が破損する惧れは全くないという効果がある。
【００１１】
さらに請求項３のカセットに収納したパチンコ景品の計数兼保管器具によれば、底板５に指掛け孔１２を形成したのでこの指掛け孔１２を利用して計数兼保管器具３を持ち歩くことができるという効果がある。
【考案を実施するための最良の形態】
【００１２】
以下添付図面に基づいて、本考案に係るカセットに収納したパチンコ景品の計数兼保管器具の実施例を詳説する。
図１はカセットに収納したパチンコ景品の斜視図、図２はカセットに収納したパチンコ景品を複数並べた状態の斜視図、図３は本考案のカセットに収納したパチンコ景品の計数兼保管器具の斜視図、図４は同平面図、図５は同正面図、図６は同側面図、図７は図４のＡ−Ａ線縦断面図、図８は複数の計数兼保管器具を積み重ねた状態の正面図であり、図９は他の実施例にかかるカセットに収納したパチンコ景品の斜視図、図１０は同カセットに収納したパチンコ景品を複数並べた状態の斜視図、図１１は同本考案のカセットに収納したパチンコ景品の計数兼保管器具の斜視図、図１２は同平面図、図１３は図１２のＢ−Ｂ線縦断面図である。
【実施例１】
【００１３】
本考案のカセットに収納したパチンコ景品の計数兼保管器具３は、全体が合成樹脂製でなる。
【００１４】
この計数兼保管器具３は、図１及び図２に示すように金のプレートのような商品をカセット１に密封収納したパチンコ景品２を保管し、その保管数を計数するためのものである。その具体的構成としては、図３乃至図６に示すように上面を開放した矩形状の枠体４と、該枠体４の底部を覆う底板５とで構成され、その枠体４の内部を縦仕切り板６と横仕切り板７とで仕切り、区画室Ｓを複数形成している。
【００１５】
この区画室Ｓのひとつを検討すると、一辺の長さ寸法Ｌ１は、パチンコ景品２の一辺の長さ寸法Ｌ１０とほぼ同一寸法に形成され、さらに他の一辺の長さ寸法Ｌ２は、パチンコ景品２の他の一辺の長さの複数倍（図３及び図４の実施例では、４倍の例を示す）の長さ寸法Ｌ２０とほぼ同一寸法に形成されている。
【００１６】
その結果、ひとつの区画室Ｓの中に隙間のない状態でパチンコ景品２をはめ込むと、その中には全４個のパチンコ景品２が整然と納められ、フル充填となる。パチンコ景品２がフル充填されている区画室Ｓの個数、並びにフル充填に至らない端数のパチンコ景品２の個数とをカウントすることで、即座に計数兼保管器具３内のパチンコ景品２の正確な全数を知ることができる。同時に、計数兼保管器具３内に収められたパチンコ景品２は、安定した状態で整然と収められることになるので、パチンコ景品２が内部で妄動したりすることなく保管器具として満足のいく整理が可能となる。
【００１７】
つぎに枠体４の高さ寸法Ｌ３は、パチンコ景品２の高さ寸法Ｌ３０よりも短寸に形成してあるので、図７及び図８に示すように、区画室Ｓ内でパチンコ景品２を底板５に接するように収納すると、パチンコ景品２の高さ寸法Ｌ３０の方が枠体４の高さ寸法Ｌ３よりも長いので、パチンコ景品２の上部が枠体４の上方に飛び出る状態となる。このため、パチンコ景品２の取り出しや収納に際しては、パチンコ景品２の上部を簡単に指で摘めるので、扱いやすくなる。
【００１８】
本考案の計数兼保管器具３は、枠体４の上面の一部に積み重ね用の突起８を形成し、枠体４の下面には該突起８が嵌入可能となる凹部９を形成したので、下段に位置する計数兼保管器具３の突起８を、上段に位置する計数兼保管器具３の凹部９に嵌入することにより、何段でも計数兼保管器具３を積み重ねることが可能となり、その積み重ね状態も位置ずれが起きず安定的なものとなる。
【００１９】
さらに枠体４の一対の側壁位置に指掛け部１０を形成した（図６参照）ので、この指掛け部１０を利用して計数兼保管器具３を持ち運ぶと、安定した持ち運びが可能となる。
また枠体４の一対の側壁位置に、例えばアルミ製などの補強金具１１を取り付けたので、計数兼保管器具３の強度が格段に向上し、加えて底板５に指掛け孔１２を形成することにより、この指掛け孔１２に指を相通させて、計数兼保管器具３を安定的に持ち運ぶことも可能となった。
【実施例２】
【００２０】
ついで、図９乃至図１３に示した実施例２について説明すると、基本的にはパチンコ景品２の大きさのみ異なるものである点で実施例１と相違する、その点以外は全て実施例１の説明と同様である。
実施例２では、パチンコ景品２の大きさの相違により、区画室Ｓ内に５個のパチンコ景品２が収納されることで、フル充填となる例であり、計数兼保管器具３の寸法もそれに対応して設計変更されている。
【産業上の利用可能性】
【００２１】
本考案のカセットに収納したパチンコ景品の計数兼保管器具は、パチンコ景品２を保管する業者、すなわちパチンコ店、パチスロ店、またその景品を回収する業者の業界において、特に利用することが可能である。
【図面の簡単な説明】
【００２２】
【図１】本考案のカセットに収納したパチンコ景品の斜視図である。
【図２】カセットに収納したパチンコ景品を複数並べた状態の斜視図である。
【図３】本考案のカセットに収納したパチンコ景品の計数兼保管器具の斜視図である。
【図４】同平面図である。
【図５】同正面図である。
【図６】同側面図である。
【図７】図４のＡ−Ａ線縦断面図である。
【図８】複数の計数兼保管器具を積み重ねた状態の正面図である。
【図９】他の実施例にかかるカセットに収納したパチンコ景品の斜視図である。
【図１０】同カセットに収納したパチンコ景品を複数並べた状態の斜視図である。
【図１１】同本考案のカセットに収納したパチンコ景品の計数兼保管器具の斜視図である。
【図１２】同平面図である。
【図１３】図１２のＢ−Ｂ線縦断面図である。
【符号の説明】
【００２３】
１…カセット
２…パチンコ景品
３…計数兼保管器具
４…枠体
５…底板
６、７…縦横仕切り板
８…突起
９…凹部
１０…指掛け部
１１…補強金具
１２…指掛け孔
Ｓ…区画室
Ｌ１…区画室の一辺の長さ寸法
Ｌ２…区画室の他の一辺の長さ寸法
Ｌ１０…パチンコ景品の一辺の長さ寸法
Ｌ２０…パチンコ景品の他の一辺の長さの複数倍の長さ寸法
Ｌ３０…パチンコ景品の高さ寸法
【図１】
0003115392.tif 000003
【図２】
0003115392.tif 000004
【図３】
0003115392.tif 000005
【図４】
0003115392.tif 000006
【図５】
0003115392.tif 000007
【図６】
0003115392.tif 000008
【図７】
0003115392.tif 000009
【図８】
0003115392.tif 000010
【図９】
0003115392.tif 000011
【図１０】
0003115392.tif 000012
【図１１】
0003115392.tif 000013
【図１２】
0003115392.tif 000014
【図１３】
0003115392.tif 000015